(57)【要約】【課題】温度制御ユニットの断熱容器に対する着脱作業を容易にし、かつ、操作ダイヤルの誤作動を防止し得る温度管理保管輸送装置を提供する。【解決手段】天壁に開口部を有する断熱容器１と、この容器内を、切替可能に設定した第１及び第２の２つの温度帯域のうちから選択した温度帯域の温度に保持させる温度制御ユニット２とを備える。前記ユニットは、下端部側を前記開口部に嵌入すると共にユニットのハウジング２０に形成したフランジ部２２を開口部の周縁部で支持させて容器に着脱可能に装着される。フランジ部に一端を固定して対設した手提げ用ベルト部５Ａ，５Ｂを備える。透明シート材で形成したカバーシートでフランジ部上に設けた切替え用の操作ダイヤル４及びその周囲を覆わせて、シートの一端部をハウジングの外壁面に固定し、他端部をフランジ部の外壁面に係脱可能に係着する。【選択図】図１
0003172752.tif 000002
【実用新案登録請求の範囲】
【請求項１】
断熱容器と、切替可能に設定された所定の第１及び第２の温度帯域のうち、いずれか一方の温度帯域を選択し、この選択した温度帯域に設定を切替え、前記容器内を、前記選択した温度帯域の温度に保持させる温度制御ユニットとを備え、
前記容器は、略四角形断面に形成した断熱性の筒状胴部と、前記胴部の下端に設けた断熱性の底壁と、略四角形状の開口部を有し、前記胴部の上端に設けた断熱性の天壁とを備え、
前記ユニットのハウジングは、少なくとも略下半部側の外形を概略四角形状に形成され、
前記ユニットは、前記ハウジングの下端部で形成され、前記開口部に嵌入する嵌入部と、前記嵌入部の上部に位置させて、前記ハウジングの外周壁面から延設したフランジ部と、前記フランジ部上に回動自在に設け、前記温度帯域を切替え操作する操作ダイヤルとを備え、
前記ハウジングの前記嵌入部を前記天壁の前記開口部に嵌脱可能に嵌入すると共に前記フランジを前記開口部の周縁部で支持させて、前記ユニットを前記容器に着脱可能に装着するように構成した温度管理保管輸送装置であって、
前記ユニットは、前記フランジ部の下面における対向する角部に一端を固定して設けた一対の手提げ用ベルト部と、前記ダイヤルの誤作動防止手段とを備え、
前記誤作動防止手段は、所定の巾及び長さの透明シート材で形成したカバーシートを備え、
前記カバーシートは、一端部側を前記ハウジングの外壁面に固定すると共に他端部側を前記フランジ部の外壁面に固定して設けられ、前記カバーシートで前記ダイヤル及びその周囲の所望のエリアを覆わせるように構成され、
前記カバーシートの前記一端部側及び前記他端部側のうち、少なくともいずれか一方は係脱可能に係着して固定されている
ことを特徴とする温度管理保管輸送装置。
【請求項２】
前記温度制御ユニットは、前記手提げ用ベルト部の一端部が固定されている部位以外の前記フランジ部の下面全体に貼着，接着その他の固定手段で固定して設けた弾性帯状体をさらに備え、
前記帯状体は、スポンジ材やゴム材その他の弾性材で形成されていると共に前記ベルト部の肉厚と対応する肉厚に形成されていることを特徴とする請求項１に記載の温度管理保管輸送装置。
【請求項３】
前記温度制御ユニットは、所望の巾及び長さに形成され、一端部側を前記カバーシートの下端部側の表面における略中央部に、縫着その他の手段で固着して前記カバーシートの巾方向に向けて設けられる標識用帯状体と、この帯状体のフリー端部側の一方の面における所望部位を前記カバーシートの一側部側に位置する前記フランジ部の外壁面に、また、他方の面における所望部位を前記カバーシートの他側部側に位置する前記フランジ部の外壁面にそれぞれ係脱可能に係着させる係着手段をさらに備え、
前記ダイヤルを操作して前記２つの温度帯域のうち、選択した温度帯域側に前記帯状体のフリー端部側を係着させるように構成したことを特徴とする請求項１に記載の温度管理保管輸送装置。
【請求項４】
前記標識用帯状体の前記係着手段は、前記帯状体の両方の面における前記フリー端部側の所望部位に縫着その他の手段で固着して設けた面ファスナーと、前記フランジ部の外壁部に接着その他の手段で固着して設けた面ファスナーで構成されていることを特徴とする請求項３に記載の温度管理輸送装置。
【請求項５】
前記標識用帯状体は、一方の面と他方の面を異なる色で色分けされていることを特徴とする請求項３又は４に記載の温度管理保管輸送装置。
【請求項６】
前記カバーシートは、一端部側を前記ハウジングの外壁面に係脱可能に係着すると共に他端部側を前記フランジ部の外壁面に固定又は係脱可能に係着して設けてあることを特徴とする請求項１に記載の温度管理保管輸送装置。
【請求項７】
前記断熱容器は、前記温度制御ユニットが装着される側と反対側の所望の部位を折り畳み可能に構成されていることを特徴とする請求項１に記載の温度管理保管輸送装置。
【考案の詳細な説明】
【技術分野】
【０００１】
本考案は、温度管理保管輸送装置に関する。さらに詳しくは、赤血球その他の血液製剤，治験薬その他の薬剤，体液，ヒトの臓器、その他の所望の各種物体を収容して所望の温度を保持するように管理し、輸送及び保管する際に使用する温度管理保管輸送装置に関する。本考案の装置は、主に輸送用として用いるが、保管用としても用いられる。
【背景技術】
【０００２】
例えば、赤血球，血小板，凍結血漿等の血液製剤、或いはある種の治験薬等は、特定の温度を保持するように温度管理して輸送及び保管することが要求されている。
【０００３】
従来、例えば血液製剤を所定の温度を保持して輸送するための装置に関する発明として、特許文献１（特開２００８−８６６０８号公報）に記載の発明が提案されている。
【０００４】
特許文献１の発明（以下、「先行発明」という）は、搬送庫としての断熱容器と、この容器に着脱可能に装着される温度制御ユニットとを備えている。前記ユニットは、ユニットのハウジング内に設けたスターリング冷凍機と、ヒータと、制御回路とを有し、制御回路で前記冷凍機及び／又はヒータを駆動制御して、前記容器内を、赤血球の保存に適した第１の温度帯域（４℃±２℃）又は血小板の保存に適した第２の温度帯域（２２℃±２℃）に調節するように構成されている。
第１及び第２の温度帯域は、制御回路によって切替可能に構成され、第１及び第２の温度帯域のうち、所望のいずれか一方の温度帯域を選択し、操作部を操作して切替えるように構成されている。また、先行発明は、凍結血漿の保存に適した第３の温度帯域（−２０℃以下）も選択可能に構成されている。
【０００５】
先行発明によれば、搬送庫（断熱容器）内に収容される血液製剤（赤血球，血小板，凍結血漿）に応じ、それぞれに適した庫内温度条件のもとで血液製剤を保存することができる。したがって、血液製剤の搬送用として優れた効果を発揮する装置が得られる。
【０００６】
しかし、先行発明においても、次のような点において改良を加えるべき余地が残されている。
（１）温度制御ユニットの着脱作業の問題点
先行発明は、温度制御ユニットのハウジングの下端部を断熱容器の天壁に設けた開口部に嵌入すると共にハウジングの外周面から延設したフランジ部を開口部の周縁部で支持させて、前記ユニットを前記容器に着脱可能に装着するように構成されている。前記ユニットの装着及び取り外し作業はフランジ部を利用して行うものであると思われる。
したがって、装着作業を行なう際には、フランジ部を把持している手の指が天壁の上面とフランジ部の下面との間に挟入して挟まれるおそれを有している。また、前記ユニットは、フランジ部の下面は天壁の上面に密接して装着されているので、前記ユニットを容器から取り外す作業を行なう際には、フランジ部の下面に指を入れるのは困難で、前記ユニットを多少持ち上げないと指が入らない。しかし、前記ユニットにはフランジ部以外に掴む箇所を備えていないため、ユニットを持ち上げる作業に手間が掛かると共に労力を要する。このように、前記ユニットを前記容器から取り外す作業が困難で、手間と労力を要する。
（２）切替操作部の誤作動の問題点
先行発明は、温度帯域を切替操作する操作部について、特許文献１の公報の段落００３５の下から第５行目に、「…図示しない操作部を操作して…」と記載されているが、前記操作部を設ける部位及び具体的構成並びに操作方法等については開示されていない。しかし、一般的には、フランジ部の上面に操作用ダイヤルを設け、このダイヤルを回動操作して切替操作を行うように構成するものであると思われる。
仮に、上記した構成を採用した場合には、前記ダイヤルは外部に露呈しているため、例えば、装置の持ち運びその他の取扱中に、不用意に前記ダイヤルを回動する問題が生じるおそれがある。
【先行技術文献】
【特許文献】
【０００７】
【特許文献１】特開２００８−８６６０８号公報
【考案の概要】
【考案が解決しようとする課題】
【０００８】
本考案は上記したような実情に鑑みてなされたもので、先行発明の有する特長的技術はそのまま活用し、これに加え、温度制御ユニットの断熱容器に対する着脱作業を容易に行なえ、かつ、操作ダイヤルの誤作動を防止し得る温度管理保管輸送装置を提供することを目的とするものである。
【課題を解決するための手段】
【０００９】
上記目的を達成するため、本考案のうち１つの考案（第１の考案）は、断熱容器と、切替可能に設定された所定の第１及び第２の温度帯域のうち、いずれか一方の温度帯域を選択し、この選択した温度帯域に設定を切替え、前記容器内を、前記選択した温度帯域の温度に保持させる温度制御ユニットとを備え、
前記容器は、略四角形断面に形成した断熱性の筒状胴部と、前記胴部の下端に設けた断熱性の底壁と、略四角形状の開口部を有し、前記胴部の上端に設けた断熱性の天壁とを備え、
前記ユニットのハウジングは、少なくとも略下半部側の外形を概略四角形状に形成され、
前記ユニットは、前記ハウジングの下端部で形成され、前記開口部に嵌入する嵌入部と、前記嵌入部の上部に位置させて、前記ハウジングの外周壁面から延設したフランジ部と、前記フランジ部上に回動自在に設け、前記温度帯域を切替え操作する操作ダイヤルとを備え、
前記ハウジングの前記嵌入部を前記天壁の前記開口部に嵌脱可能に嵌入すると共に前記フランジを前記開口部の周縁部で支持させて、前記ユニットを前記容器に着脱可能に装着するように構成した温度管理保管輸送装置であって、
前記ユニットは、前記フランジ部の下面における対向する角部に一端を固定して設けた一対の手提げ用ベルト部と、前記ダイヤルの誤作動防止手段とを備え、
前記誤作動防止手段は、所定の巾及び長さの透明シート材で形成したカバーシートを備え、
前記カバーシートは、一端部側を前記ハウジングの外壁面に固定すると共に他端部側を前記フランジ部の外壁面に固定して設けられ、前記カバーシートで前記ダイヤル及びその周囲の所望のエリアを覆わせるように構成され、
前記カバーシートの前記一端部側及び前記他端部側のうち、少なくともいずれか一方は係脱可能に係着して固定されていることを特徴とする。
【００１０】
本考案のうち、さらに他の１つの考案（第２の考案）は、第１の考案の温度管理保管輸送装置において、前記温度制御ユニットは、前記手提げ用ベルト部の一端部が固定されている部位以外の前記フランジ部の下面全体に貼着，接着その他の固定手段で固定して設けた弾性帯状体をさらに備え、
前記帯状体は、スポンジ材やゴム材その他の弾性材で形成されていると共に前記ベルト部の肉厚と対応する肉厚に形成されていることを特徴とする。
【００１１】
本考案のうち、さらに他の１つの考案（第３の考案）は、第１の考案の温度管理保管輸送装置において、前記温度制御ユニットは、所望の巾及び長さに形成され、一端部側を前記カバーシートの下端部側の表面における略中央部に、縫着その他の手段で固着して前記カバーシートの巾方向に向けて設けられる標識用帯状体と、この帯状体のフリー端部側の一方の面における所望部位を前記カバーシートの一側部側に位置する前記フランジ部の外壁面に、また、他方の面における所望部位を前記カバーシートの他側部側に位置する前記フランジ部の外壁面にそれぞれ係脱可能に係着させる係着手段をさらに備え、
前記ダイヤルを操作して前記２つの温度帯域のうち、選択した温度帯域側に前記帯状体のフリー端部側を係着させるように構成したことを特徴とする。
【００１２】
本考案のうち、さらに他の１つの考案（第４の考案）は、第３の考案の温度管理保管輸送装置において、前記標識用帯状体の前記係着手段は、前記帯状体の両方の面における前記フリー端部側の所望部位に縫着その他の手段で固着して設けた面ファスナーと、前記フランジ部の外壁部に接着その他の手段で固着して設けた面ファスナーで構成されていることを特徴とする。
【００１３】
本考案のさらに他の１つの考案（第５の考案）は、第３及び第４の考案の温度管理保管輸送装置において、前記標識用帯状体は、一方の面と他方の面を異なる色で色分けされていることを特徴とする。
【００１４】
本考案のさらに他の１つの考案（第６の考案）は、前記カバーシートは、一端部側を前記ハウジングの外壁面に係脱可能に係着すると共に他端部側を前記フランジ部の外壁面に固定又は係脱可能に係着して設けてあることを特徴とする。
【００１５】
本考案のさらに他の１つの考案（第７の考案）は、第１の考案の温度管理保管輸送装置において、前記断熱容器は、前記温度制御ユニットが装着される側と反対側の所望の部位を折り畳み可能に構成されていることを特徴とする。
【考案の効果】
【００１６】
本考案によれば、次のような作用効果を奏する。
（１）断熱容器内に収容される血液製剤や治験薬その他の物体を、それぞれに適した所定の温度を保持して安定、かつ、良好に温度管理して輸送及び保管することができる。
（２）フランジ部に設けたベルトを利用して温度制御ユニットを容易に持ち上げることができる。したがって、前記ユニットの断熱容器への装着及び取り外し作業を容易かつ、円滑良好に行なうことができる。
（３）操作ダイヤル及びその周囲はカバーシートで覆われているので、装置の持ち運びその他の取扱い中に、不用意にダイヤルを回動するのを防止できる。
（４）カバーシートは透明シート材で形成されているので、シートを透して操作ダイヤルの表示を見ることができる。
（５）カバーシートは、他端部側（下端部側）をフランジ部に係脱自在に係着してあるので、前記係着を解除してめくり上げ、ダイヤルを表出することにより、ダイヤルの回動操作を行なうことができる。
（６）第２の考案によれば、上記効果に加え、天板の上面とフランジ部の下面間に隙間が生じるのを防止し、かつ、弾性帯状体の弾性ないしクッション作用により輸送時等における振動を軽減することができる。
（７）第４の考案によれば、上記効果に加え、標識用帯状体の係着姿勢を見ることにより、前記ユニットの現在の運転温度を確認することができる。
（８）第５の考案によれば、標識用帯状体は一方の面と他方の面を異なる色で色分けされているので、上記効果に加え、前記帯状体を見るだけで前記ユニットの現在の運転温度を簡単に確認することができる。
（９）第７の考案によれば、断熱容器をコンパクトにできる。したがって、上記効果に加え、前記装置の不使用時において、前記装置を搬送したり、或いは保管する際におけるスペースを小にすることができる。
【図面の簡単な説明】
【００１７】
【図１】本考案の一実施形態の温度管理保管輸送装置の構成を概略的に示す縦断面図であって、同図（ａ）は縦断背面図、同図（ｂ）は縦断側面図である。
【図２】前記装置に採用した温度制御ユニットの構成を概略的に示す底面図である。
【図３】前記ユニットのフランジ部に設けた手提げ用ベルト部の例の構成を概略的に示す斜視図である。
【図４】前記装置に採用した断熱容器の構成を概略的に示す縦断面図である。
【図５】前記装置の一部を拡大し、その構成を概略的に示す縦断説明図である。
【図６】前記装置の温度制御ユニットの構成を概略的に示す背面図である。
【図７】同じく前記ユニットの平面図である。
【図８】前記温度制御ユニットの誤作動防止手段を設けた部位を拡大し、その構成を概略的に示す図であって、同図（ａ）はカバーシートで操作ダイヤルを覆わせた状態を示す平面説明図、同図（ｂ）は前記シートをめくり上げて前記ダイヤルを表出させた状態を示す平面説明図である。
【図９】前記ユニットの標識用帯状体を設けた部位を拡大し、その構成を概略的に示す図であって、同図（ａ）は前記帯状体をカバーシートの一側部側に位置するフランジ部の外壁面に係着させた状態を示す説明背面図、同図（ｂ）は前記帯状体を前記シートの他側部側に位置するフランジ部の外壁面に係着させた状態を示す説明背面図である。
【図１０】前記カバーシートの構成を概略的に示す図であって、同図（ａ）は表面図、同図（ｂ）は裏面図、同図（ｃ）は側面図である。
【図１１】本考案の他の実施形態の温度管理保管輸送装置の構成を概略的に示す図であって、同図（ａ）は斜視図、同図（ｂ）は縦断面図である。
【図１２】図１１に示す前記装置の断熱容器の所望の部位を折り畳む工程の第１の段階を概略的に示す説明図である。
【図１３】同じく折り畳む工程の第２の段階を概略的に示す説明図である。
【図１４】同じく折り畳む工程の第３の段階を概略的に示す説明図である。
【図１５】同じく折り畳む工程の第４の段階を概略的に示す説明図である。
【図１６】上記折り畳み手順により前記装置の所望の部位を折り畳んだ状態の前記装置の構成を概略的に示す側面図である。
【図１７】前記温度制御ユニットの制御系統を示すブロック図である。
【考案を実施するための形態】
【００１８】
以下、図面を参照して本考案の温度管理保管輸送装置の実施形態の一例について説明する。
【００１９】
図１ないし図１０、及び図１７は、本考案の一実施形態の温度管理保管輸送装置を示す。
【００２０】
上記図に示すように、本実施形態１の前記装置は、断熱容器１と、この容器１に着脱可能に装着される温度制御ユニット２とを備える。前記ユニット２は、前記容器１内を、切替可能に設定された後述する所定の第１及び第２の２つの温度帯域のうちから択一的に選択した温度帯域の温度に保持させるための温度制御手段である。
【００２１】
前記容器１は、略四角形断面（平面視）に形成した断熱性の筒状胴部１０と、前記胴部１０の一端（下端）を閉塞して設けた断熱性の底壁１１と、他端（上端）を閉塞して設けた断熱性の天壁１２とを備える。前記胴部１０は、前後に対向する前壁１０Ａと後壁１０Ｂ、及び左右に対向する側壁１０Ｃ，１０Ｄとで形成されている。
【００２２】
前記容器は所望の大きさに形成できるものであるが、外側寸法で、例えば横巾：約５０ｃｍ〜約７０ｃｍ、前後巾：約５０ｃｍ〜約９０ｃｍ、高さ：約４０ｃｍ〜約６０ｃｍ程度に形成できる。本実施形態では、外側寸法で、横巾：約６５ｃｍ〜約７０ｃｍ、前後巾：約５５ｃｍ〜約７０ｃｍ、高さ：約４０ｃｍ〜約５０ｃｍ程度に形成してある。
なお、後述する実施形態２では、前後巾：約８５ｃｍ〜約９０ｃｍに形成したものを採用している。
【００２３】
前記前壁１０Ａ、後壁１０Ｂ、両側壁１０Ｃ，１０Ｄ、底壁１１、及び天壁１２は、それぞれ所望の肉厚の平板状の断熱ボードで形成した断熱壁１３（断熱層）と、シート材１４ａ，１４ｂとを備える。各断熱壁１３はシート材１４ａ，１４ｂで被覆されている。断熱壁１３の肉厚は所望の厚さに設定できる。例えば、約４０ｍｍ〜約６０ｍｍ程度に形成できる。但し、上記範囲内に限定されるものではない。
【００２４】
断熱壁１３（断熱層）の素材は特に限定されないが、例えば、発泡スチロールやフェノールフォームその他の発泡樹脂製の断熱ボードを採用できる。本実施形態ではフェノールフォーム製の断熱ボードを採用している。前記シート材１４ａ，１４ｂの素材も特に限定されるものではなく、任意の素材のものを採用できるものであるが、本実施形態では、繊維シートの一方の面にアルミを蒸着したアルミ蒸着シートを採用している。アルミ蒸着シートはアルミ蒸着面を外側にして使用される。
【００２５】
本実施形態１の前記容器は、図１（ｂ）に示すように、前記胴部１０の前壁１０Ａ側を開放して開口部１５を形成し、前壁１０Ａで前記開口部１５を開閉する開閉蓋部を構成してある。本実施形態では、前壁１０Ａのシート材１４ａの下端を底壁１１のシート材１４ａの端部と接続し、この接続部をヒンジとして上下方向に旋回（起伏）して開口部１５を開閉するように構成してある。前記容器内に収容される血液製剤その他の目的の各種の物体Ｘは前記開口部１５から出し入れされる。
【００２６】
前記開閉蓋部を構成した前壁１０Ａは、前壁１０Ａの上端部に、前記シート材１４ａの縁部から延出させて設けたフラップ１６を備える。フラップ１６は、前壁１０Ａで構成した開閉蓋部を閉じた際、係着手段１７により天壁１２の開口部１５側の上面に係脱可能に係着して固定される。本実施形態の係着手段１７はフラップ１６の内側面に固着して設けた面ファスナ１６ａと、天壁１２の上面に固着して設けた面ファスナ１６ｂとで構成されている。フラップ１６は、開閉蓋部を閉じた際、係着手段１７により天壁１２の上面に係脱可能に係着して固定される。これにより、開閉蓋部は閉蓋状態を安定して維持される。
【００２７】
なお、本実施形態では係着手段１７として面ファスナを採用した例を開示したが、面ファスナに代えて、スライドファスナ、スナップボタン、或いはマグネット等を採用してもよい。また、本実施形態では、前壁１０Ａで開閉蓋部を構成した例を開示したが、後壁１０Ｂ、或いは側壁１０Ｃ又は１０Ｄで開閉蓋部を構成することも可能である。
【００２８】
前記容器１の天壁１２は、前記ユニット２の下端部を略適合させて嵌脱可能に嵌入するための略四角形状に形成した開口部１８（切り欠き穴）を有している。本実施形態の開口部１８は、前記ユニット２の後述するハウジングの下端部で形成される嵌入部と対応する大きさ及び形状の長方形状の穴で形成されている。
【００２９】
前記ユニット２は、略下半部側の外形を略四角形状（平面視略四角形断面）に形成したハウジング２０と、ハウジング２０の下端部で形成され、天壁１２の開口部１８に嵌入する略四角形状（外形の形状）の嵌入部２１と、嵌入部２１の上部に位置させて、ハウジング２０の外周壁面から略直角に延設したフランジ部２２とを備える。本実施形態のハウジング２０は、外形の略全体を概略長方形状の箱形状に形成されている。
【００３０】
前記ユニット２は、ハウジング２０の前記嵌入部２１を天壁１２の開口部１８に略適合して嵌脱自在に嵌入すると共にフランジ部２２を開口部１８の周縁部で支持させて、前記容器１に着脱可能に装着するように構成されている。
【００３１】
前記ユニット２は、切替可能に設定された所定の第１及び第２の２つの温度帯域のうち、いずれか一方の温度帯域を択一的に選択し、この選択した温度帯域に設定を切替え、前記容器１内を、前記選択した温度帯域の温度に保持させる切替方式に構成されている。
【００３２】
図１（ａ）及び図６にブロック図形式で概略的に示すように、前記ユニット２は、ハウジング２０内に配置して設けたスターリング冷凍機その他の任意の型式の冷凍機２３と、シーズヒータその他の任意のヒータ２４と、温度センサ２５と、冷凍機２３及び／又はヒータ２４を駆動制御して、前記容器１内を、前記選択した温度帯域の温度に調節する制御回路３とを備える。
本実施形態では、冷凍機２３としてスターリング冷凍機を、また、ヒータ２４としてシーズヒータを採用している。前記ユニット２は、冷凍機２３及びヒータ２４の電源スイッチ（図示せず）を備える。
【００３３】
また、前記ユニット２は、フランジ部２２の上面（フランジ部２２上）に回動自在に設け、前記温度帯域を切替え操作する操作ダイヤル４を備える。この操作ダイヤル４については、追って説明する。
【００３４】
前記ハウジング２０は、下端に開口し、ハウジング２０内の所定部（熱交換部等）と前記容器１内と連通させる吸気口２６Ａ及び排気口２６Ｂを備え、図示しない循環用ファンを回転駆動させることにより、前記容器１内とハウジング内の前記熱交換部等との間を、空気を循環させるように構成されている。
また、ハウジング２０は、ハウジング内の所定部（冷凍機の排熱部等）と外部とを連通させる空冷用の吸気口２７Ａ及び排気口２７Ｂとを備え、図示しない排熱用ファンを回転駆動させることにより、外部空気を吸気口２７Ａから吸引して排熱部等を空冷し、排気口２７Ｂから前記ユニット外へ排出させるように構成してある。
さらにまた、ハウジング２０の下端部には、ドレン水用の水受け皿２８が着脱自在に設けてある。
【００３５】
前記冷凍機２３及びヒータ２４は、基本的には専用のバッテリ（図示せず）で駆動される。なお、ＡＣアダプタを接続することにより、交流の電源でも駆動可能である。また、車載用バッテリ（図示せず）で駆動することも可能である。さらにまた、所望に応じて補助バッテリを設け、例えば、病院その他の建造物内等で搬送する際等に補助バッテリの電力に切替えて駆動することもできる。
【００３６】
前記制御回路３は、マイクロコンピュータなどからなる電子回路で、この制御回路３は、前記温度センサ２５からのハウジング２０の所定のエリア内（吸気口２６Ａと連通しているエリア内等）の温度情報に基づいて、前記冷凍機２３及びヒータ２４を制御するものである。
【００３７】
前記制御回路３には、所望の第１の温度帯域３０及び第２の温度帯域３１（図１７参照）が予めプログラミングされている。本実施形態では、第１の温度帯域３０は４℃±２℃（赤血球の保存に最適な温度）、第２の温度帯域３１は−２０℃以下（凍結血漿の保存に最適の温度）に設定され、ダイヤル４を操作して、制御回路によって第１又は第２の温度帯域に切替可能に構成して設けられている。
そして、第１及び第２の温度帯域のうち、いずれか一方の温度帯域を選択し、この選択した温度帯域に設定を切替え、前記センサ２５からの温度情報に基づいて、冷凍機２３及び／又はヒータ２４を駆動制御して、前記容器１内を、前記選択した温度帯域の温度に調節して温度保持させる。
【００３８】
前記第１及び第２の温度帯域の温度設定は、例えば第１の温度帯域３０は前記と同様に４℃±２℃、第２の温度帯域３１は２２℃±２℃（血小板の保存に最適な温度）等のように、両温度帯域の設定温度を任意に変更可能なものである。
【００３９】
前記操作ダイヤル４は、上述したように、フランジ部２２上に回動自在に設けてある。本実施形態では、図８に示すように、ダイヤル４の中心線上の一側（図において右側）の部位におけるフランジ部２２の上面に第１の温度帯域３０の目印となる指標４０を印刷その他の手段で表示し、ダイヤル４の他側（図において左側）の部位におけるフランジ部２２の上面に第２の温度帯域３１の目印となる指標４１を印刷その他の手段で表示してある。また、ダイヤル４の上面における所定の部位には、標点用の指標４２が印刷その他の手段で表示されている。
【００４０】
前記温度帯域の切替えはダイヤル４を回動してダイヤル４の指標４２を所望の一方の指標４０又は４１に合わせることにより行う。図８には第２の温度帯域３１に設定した例が開示されている。そして、図８の状態から、ダイヤル４を１８０度回動して、指標４２を指標４０に合わせることにより、第１の温度帯域３０に切替わる。このように、ダイヤル４を回動操作して、第１及び第２の温度帯域のうち、所望の一方の温度帯域の温度に設定を切替えるように構成してある。
【００４１】
温度制御ユニット２について、その構成等を概略的に説明したが、以上説明した前記ユニット２の構成等は先行発明の公報に記載の温度制御ユニットの構成と同様である。但し、上記公報には、操作ダイヤル４については開示されていない。
【００４２】
本考案は次に開示する技術的構成を特徴とするものである。以下、その構成等について説明する。
【００４３】
本実施形態の温度制御ユニット２は、前記フランジ部２２に設けた一対の手提げ用ベルト部５Ａ，５Ｂと、前記操作ダイヤル４の誤作動を防止する誤作動防止手段６とを備える。
【００４４】
前記ベルト部５Ａ，５Ｂは、フランジ部２２の下面における対向する角度に一端部を固定して設ける。前記ベルト部５Ａ，５Ｂの素材は特に限定するものではないが、その目的（前記ユニット２の持ち上げ作業等）からして、前記ユニット２の重量に十分耐え得る強靭な繊維製や皮革製等のベルト材を採用できる。
【００４５】
本実施形態のベルト部５Ａ，５Ｂは、繊維製のベルト材５０で構成されている。両ベルト部は、フランジ部２２の下面の巾と対応する巾、及び前記ユニットの持ち上げ作業等がし易いように、所望の長さに形成される。本実施形態のベルト部５Ａ，５Ｂは、図３，図５等に詳細に示すように、フランジ部２２の下面と略同一の巾、かつ、適当な長さのベルト材５０を二つ折りしてループ５１を形成して構成したものを採用している。
【００４６】
前記ベルト部５Ａ，５Ｂは一端部（ループ５１と反対側端部）をビス止めその他の任意の固定手段でフランジ部２２の下面に固定して設ける。本実施形態では両ベルト部の一端部側にビス挿入孔５２を形成し、ビス５３によりビス止めして固定してある。これにより、両ベルト部を利用して前記ユニット２を容易に持ち上げることができるので、前記ユニット２の断熱容器１への装着及び取り出し作業を容易、かつ円滑良好に行なうことができる。また、両ベルト部にはループ５１が形成されているので、前記作業を一層容易に行なうことができる。
【００４７】
また、本実施形態の前記ユニット２は、図２等に詳細に示すように、フランジ部２２の下面に設けた弾性帯状体７を備える。前記帯状体７は、前記両ベルト部５Ａ，５Ｂの一端部が固定されている部位以外のフランジ部２２の下面全体（全域）に貼着，接着その他の固定手段で固定して設ける。本実施形態では、貼着又は接着により固定されている。
前記帯状体７は、スポンジ材やゴム材その他の弾性材で形成されている。また、帯状体７は、ベルト部５Ａ（５Ｂ）の肉厚と対応する肉厚（ベルト部の肉厚と略同厚ないし幾分厚め）に形成されている。
【００４８】
上記構成を採用することにより、天壁１２の上面とフランジ部２２の下面間に隙間が生じるのを防止し、かつ、弾性帯状体の弾性ないしクッション作用により輸送時等における振動を軽減することができる。
【００４９】
前記誤作動防止手段６は、図８等に詳細に示すように、所定の巾及び長さの透明シート材で形成したカバーシート６０を備える。カバーシート６０は、一端部側（上端部側）をハウジング２０の外壁面に固定すると共に他端部側（下端部側）をフランジ部２２の外壁面に固定して設け、前記カバーシート６０で前記ダイヤル４及びその周囲の所望のエリアを覆わせるように構成してある。
【００５０】
前記カバーシート６０は少なくとも一端部側及び他端部側のいずれか一方は、係脱可能に係着して固定して設ける。カバーシート６０はダイヤル４及びその周囲の所望のエリアを覆わせる巾及び所望の適当な長さに形成される。前記シート６０の素材は特に限定されないが、例えば軟質又は可撓性のプラスチックシート材等を採用できる。但し、上記素材に限定されるものではない。
【００５１】
本実施形態では軟質のプラスチックシート材を採用している。本実施形態では、図１０（ｃ）等に示すように、前記シート６０の一端部（上端部）に、シート６０の両面を挟ませて補強用シート６１を縫着等で固着して設けてある。そして、補強用シート６１の上から対となる一方の面ファスナ６２ａを縫着等で固着して設けてある。また、ハウジング２０の外壁面の所定部位に他方のファスナ６２ｂを接着その他の固着手段で固着して設け、両面ファスナ６２ａ及び６２ｂによりカバーシート６０の上端部側をハウジングの外壁面に係脱可能に係着して固定してある。
【００５２】
また、カバーシート６０の他端部側（下端部側）においては、前記シート６０の下端部側の内側面に、対となる一方の面ファスナ６３ａを縫着等で固着して設けてある。また、フランジ部２２の外壁面に他方の面ファスナ６３ｂを接着その他の固着手段で固着して設け、両面ファスナ６３ａ及び６３ｂにより、カバーシート６０の下端部側を係脱可能に係着して固定してある。
【００５３】
なお、上記の場合において、カバーシート６０の一端部側及び他端部側のうち、いずれか一方は、係脱不能に固着（固定）する構成を採用してもよい。
【００５４】
上記構成により、カバーシート６０が邪魔するため、カバーシート６０の内側部に手の指が入るのを阻止する。仮に指が入ってもダイヤルを回動操作するのを防止する。また、ダイヤル及びその周囲はカバーシートで覆われているので、装置の持ち運びその他の取り扱い中に、不用意にダイヤルを回動するのを防止できる。
【００５５】
また、カバーシート６０は透明シート材で形成されているので、シート上からシートを透かして操作ダイヤルの指標等の表示を見ることができる。したがって、現在の運転温度を確認することができる。カバーシートの一端部側及び／又は他端部側はフランジ部又はハウジングに係脱可能に係着されているので、前記係着を解除して、シートをめくり上げ、或いは下方側へ開いてダイヤル４を表出することにより、ダイヤル４の回動操作を行なうことができる。
【００５６】
なお、本実施形態では、カバーシート６０を係着する手段として、面ファスナーで構成した例を開示したが、面ファスナーに代えてスナップボタンやマグネット等を採用できる。
【００５７】
本実施形態の前記ユニット２は、標識用帯状体８をさらに備える。前記帯状体８は、繊維材や軟質プラスチック材その他の任意の素材で所望の巾及び長さに形成されている。前記帯状体８は、一端部側をカバーシート６０の下端部側の表面における中央部に、縫着その他の固着手段で固着してカバーシート６０の巾方向に向けて設けられる。
【００５８】
また、帯状体８のフリー端部側の一方の面における所望部位を前記シート６０の一側部側に位置するフランジ部２２の外壁面に、また、他方の面における所望部位を前記シート６０の他側部側に位置するフランジ部２２の外壁面にそれぞれ係脱可能に係着する係着手段８０を備える。
【００５９】
前記標識用帯状体８は、操作ダイヤル４を操作して前記２つの温度帯域のうち、選択した温度帯域側に帯状体８のフリー端部側を係着する。例えば、第２の温度帯域３１を選択した場合には、図９（ａ）に示すように、第２の温度帯域の指標４１側（図９において左側）にフリー端部側を係着する。また、第１の温度帯域３０を選択した場合には、図９（ｂ）に示すように、第１の温度帯域の指標４０側（図９において右側）にフリー端部側を係着する。
【００６０】
本実施形態の標識用帯状体８の係着手段８０は、帯状体８の両方の面における前記フリー端部側の所望部位に縫着その他の手段で固着して設けた対となる一方の面ファスナ８０ａ，８０ａと、フランジ部２２の外壁面に接着その他の固着手段で固着して設けた他方の面ファスナ８０ｂ，８０ｂで構成されている。この場合、前記係着手段８０は、面ファスナに代えてスナップボタンやマグネット等を採用できる。
【００６１】
上記構成のように構成すると、標識用帯状体８の係着姿勢を見ることにより、前記ユニット２の現在の運転温度を確認することができる。
【００６２】
また、本実施形態の標識用帯状体８は、図９に示すように、一方の面８１と他方の面８２を異なる色で色分けされている。例えば、一方の面８１を青色、また、他方の面８２を赤色等を採用して色分けしている。
前記色分けの手段としては、例えば、油性インクで彩色する方法や異なる色の２本の帯状体を重合して縫着等により固着する方法、或いは色の異なる２本の帯状体を端部同士を縫着等により接続した後、これを二つ折りして縫い合わせる方法等を採用できる。
【００６３】
上記のように、帯状体８の一方の面と他方の面を色分けする構成を採用する場合は、一方の色（例えば赤色）は第１の温度帯域、他方の色（例えば青色）は第２の温度帯域のように予め決めておく。
【００６４】
上記のように構成すると、帯状体８の色を見るだけで、前記ユニット２の現在の運転温度を簡単に確認することができる。
【００６５】
実施形態１の温度管理保管輸送装置は上記のように構成したので、この装置によれば、上述した考案の効果の項で説明した前記（１）〜（８）の作用効果を奏する装置を提供することができる。
【００６６】
図１１ないし図１６は、本考案の他の実施形態（実施形態２）の温度管理保管輸送装置を示す。なお、実施形態２において、実施形態１で既に説明した構成と共通する構成部等には同一符号を付して説明を省略する。実施形態２は、断熱容器の構成に特徴がある。
【００６７】
実施形態２の断熱容器１Ａは、温度制御ユニット２が装着される側と反対側の所望の部位を折り畳み可能に構成したものである。なお、実施形態２の前記容器１Ａは、筒状胴部１００の前壁１０Ａ，後壁１０Ｂ、両側壁１０Ｃ，１０Ｄ、底壁１１、及び天壁１２の各断熱壁１３は、実施形態１と同様にシート材１４ａ，１４ｂで被覆されているが、図１１（ｂ）以外の各図においては、内側面側のシート材１４ｂを省略してある。
【００６８】
実施形態２の前記容器１Ａは、容器１Ａの大きさを、外側寸法で、横巾：約６５ｃｍ〜約７０ｃｍ、前後巾：約８５ｃｍ〜約９０ｃｍ、高さ：約４０ｃｍ〜約５０ｃｍ程度に形成してある。
【００６９】
実施形態２の前記容器１Ａは、前記ユニット２が装着される側と反対側の所望の部位（容器１Ａの前後巾の約半分弱）における筒状胴部１００の上端を開口して開口部１５Ａ（図１３等参照）を形成してある。また、天壁１２の前記開口部１５Ａに位置する部位で前記開口部１５Ａを開閉する開閉蓋部１２Ａを形成してある。
【００７０】
開閉蓋部１２Ａは所定方向に折り曲げ自在に形成した分割壁１２ａ，１２ｂで構成されている。分割壁１２ｂの上面には、前記蓋部１２Ａを開閉操作するための持ち手１２ｃが設けてある。
【００７１】
底壁１１の前壁１０Ａ側の略半分の部位は、所定方向へ折り曲げ可能に分割して形成した分割壁１１ａ，１１ｂで構成されている。また、前記胴部１００の左右の側壁１０Ｃ，１０Ｄは、前記胴部の前後巾の略半分の部位から所定方向（内側方向）に折り曲げ自在に形成されている。他の構成は実施形態１と同様である。
【００７２】
実施形態２の温度管理保管輸送装置は上記のように構成し、実施形態１と同様に使用される。そして、不使用時には、図１２ないし図１６に示す手順に従って、前記容器１Ａの前壁１０Ａ側の上記した部位を折り畳み、その状態で保管し、或いは搬送するものである。これにより、断熱容器をコンパクト（縮小率約３５％）にできる。したがって、前記装置の不使用時において、前記装置を搬送したり、或いは保管する際におけるスペースを小にすることができる。
【００７３】
なお、実施形態２は、折り畳み式に構成した断熱容器の一例を開示したもので、上記以外の折り畳み式の構成に任意に変更可能なものである。
【００７４】
また、上記した各実施形態の温度管理保管輸送装置は一例として開示したもので、本考案は上記実施形態に限定されるものではなく、実用新案登録請求の範囲に記載の技術思想を越脱しない範囲において任意に変更可能なものである。
【符号の説明】
【００７５】
１      断熱容器
２      温度制御ユニット
３      制御回路
４      操作ダイヤル
５Ａ，５Ｂ    手提げ用ベルト部
６      誤作動防止手段
７      弾性帯状体
１０    筒状胴部
１１    底壁
１２    天壁
１８    開口部
２０    ハウジング
２２    フランジ部
２３    冷凍機
６０    カバーシート
【図１】
0003172752.tif 000003
【図２】
0003172752.tif 000004
【図３】
0003172752.tif 000005
【図４】
0003172752.tif 000006
【図５】
0003172752.tif 000007
【図６】
0003172752.tif 000008
【図７】
0003172752.tif 000009
【図８】
0003172752.tif 000010
【図９】
0003172752.tif 000011
【図１０】
0003172752.tif 000012
【図１１】
0003172752.tif 000013
【図１２】
0003172752.tif 000014
【図１３】
0003172752.tif 000015
【図１４】
0003172752.tif 000016
【図１５】
0003172752.tif 000017
【図１６】
0003172752.tif 000018
【図１７】
0003172752.tif 000019